(57)【要約】      （修正有）【課題】状況に合わせていろいろな用途に使える調理小物置き台兼用防汚パネルを提供する。【解決手段】小物置き台として正面視が下向きに開口した横長い略コ字状に伏せた状態での高さが、防汚パネルとして平面視が手前に開口した横長い略コ字状になるように起こした場合には、十分に安定して起立する奥行きとなるよう形成した。調理作業中のスペースの有効利用ができる小物置き台や、調理中の油飛沫の飛散防止や、シンクでの洗い物の水跳ね防止のための防汚パネル、または、キッチンカウンターにおける目隠しスクリーンなど、状況によりいろいろな使い方ができるようにするために、伏せて置いたり、立てて置いたりするなど多様な置き方ができる構造とする。【選択図】図１
0003153320.tif 000002
【実用新案登録請求の範囲】
【請求項１】
正面視が下向きに開口した横長い略コ字の状態で上面に小物を載置できる奥行きを有する小物置き台において、その高さを、前記小物置き台を防汚パネルとして使用するため平面視が手前に開口した横長い略コ字の状態に起こしたときに、物や手が軽く接触しても転倒しない程度に安定した状態を維持できる奥行きとしたことを特長とする調理小物置き台兼用防汚パネル。
【請求項２】
正面視が下向きに開口した横長い略コ字形状で上面に小物を載置できる奥行きを有する小物置き台において、立上り部の上端に、上方かつ外方に突出した把手を形成したことを特長とする請求項１記載の調理小物置き台兼用防汚パネル。
【請求項３】
平面視が手前に開口した横長い略コ字状になるように起こした状態において、左右端部のどちらか一方あるいは両方の端部に、別部材を連結可能としたことを特長とする請求項１または請求項２記載の調理小物置き台兼用防汚パネル。
【考案の詳細な説明】
【技術分野】
【０００１】
本考案は、主にビルトインタイプのＩＨクッキングヒーターやガスレンジ等の上面奥側の吸排気口や排気口をまたいだ状態で伏せて置いて、その上面を調理小物等を載せるためのスペースとして有効に活用するものであり、また、つい立のように起こした状態にして調理中の油飛散防止パネルやシンクでの食器洗い時の水跳ね防止パネル、あるいは、対面式キッチンにおける目隠しスクリーンとして使用するものである。
【背景技術】
【０００２】
すでに出願されているものとしては、ビルトインコンロの後方部に位置するグリル排気口の上方を有効活用するための排気口カバーが記載された特許出願がある。また、システムキッチンレンジのガードプレートの外周に沿って設置して調理時の油はねを防止するための調理用油除けパネルが記載された特許出願がある。
【０００３】
しかし、前記排気口カバーは、排気口を塞いだ状態ではないが排気が頭上のレンジフードへ向かって上昇するのを邪魔する状態であるため、グリルを使用している時はどこか別の場所に移動させておくほうが良いという欠点があった。また前述の調理用油除けパネルは、油除けパネルとして使えるだけで調理スペースの有効活用のために使用することは出来なかった。
【先行技術文献】
【特許文献】
【０００４】
【特許文献１】特開平７−２１７８９３号公報
【特許文献２】特開２００４−１２５２９３号公報
【考案の概要】
【考案が解決しようとする課題】
【０００５】
解決しようとする問題点は、状況に合わせていろいろな用途に使えるようにすることである。
【課題を解決するための手段】
【０００６】
本考案は、使い方に合わせていろいろな置き方ができるようにしたことと、さらに使い方のバリエーションを増やすために他の部材との組合せを可能にしたことを最も主要な特徴とする。
【考案の効果】
【０００７】
請求項１に記載の調理小物置き台兼用防汚パネルは、ＩＨクッキングヒーターやガスレンジ等の上面奥側の吸排気口や排気口をまたいだ状態で伏せて置くと調理作業時の小物置き台としてキッチンでの限られたスペースを有効利用できる。またつい立のように起こした状態にすると調理中の油飛散やシンクでの食器洗い時の水跳ね等の防汚パネル、あるいは、対面式キッチンにおける目隠しスクリーンとして利用できる。このように置き方を変えることができるので状況に合わせた使い方ができるという利点がある。
【０００８】
また請求項２に記載の調理小物置き台兼用防汚パネルは、把手を形成したので持ちやすくなり、さらに把手は正面から見て上方かつ外方に突出しているため、つい立のように起こした状態では調理作業で何かが当ったりして後方に倒れる危険性が少なく安定した状態を保つことができる。
【０００９】
また請求項３に記載の調理小物置き台兼用防汚パネルは、つい立のように起こした状態の左右端部のどちらか一方あるいは両方の端部に別部材を連結可能としたので防汚パネルとして背面壁だけでなく、側面壁も防汚することができる。
【図面の簡単な説明】
【００１０】
【図１】本考案の調理小物置き台としての使用例を示す斜視図である。（実施例１）
【図２】本考案の防汚パネルとしての使用例を示す斜視図である。（実施例１）
【図３】他の実施例による調理小物置き台としての使用例を示す斜視図である。（実施例２）
【図４】図３における防汚パネルとしての使用例を示す斜視図である。（実施例２）
【図５】さらに他の実施例による使用例を示す斜視図である。（実施例３）
【図６】図５における連結構造を示す水平断面図である。（実施例３）
【考案を実施するための形態】
【００１１】
断面形状を横長い略コ字形状にして、調理小物置き台としての使用時には伏せた状態にし、防汚パネルあるいは目隠しスクリーンとしての使用時には起こした状態にできるようにした。また差し込み式で追加部材を連結できるようにした。
【実施例１】
【００１２】
図１は、本考案を調理小物置き台として使用した状態を示す斜視図である。１は本考案の調理小物置き台兼用防汚パネルであり、ビルトインタイプのＩＨクッキングヒーターＡの上面奥側にある吸排気口Ａ１の上をまたいで伏せた状態にしている。このような状態においては吸排気口Ａ１上の空間が小物置きのスペースとして有効に活用できる。
【００１３】
調理小物置き台兼用防汚パネル１は、左右の脚部１１、１１とその間に架け渡したパネル材１２で構成され、正面から見ると下向きに開口した横長い略コ字形状であり、パネル材１２の上面に調味料や食器、その他の器具等の調理小物Ｂを置くことができる奥行きを有している。
【００１４】
脚部１１はアルミ押出成形で垂直な立上り部１１ａの上部が湾曲して水平な接続部１１ｂとつながった断面形状が略Ｌ字形状に形成されている。脚部１１の前後端部には樹脂カバー１１ｃが取付けられ、ＩＨクッキングヒーターＡのトッププレート周囲の載置面に直接金属が接触して音がしたり滑ったりするのを防止している。パネル材１２は透光性を有する強化ガラス製である。
【００１５】
なお、脚部１１及びパネル材１２は前述の材質や構造に限定されるものではない。例えば耐熱性のある樹脂製あるいは金属製で脚部とパネル材を一体に成形した構造でも良い。
【００１６】
次に図２は、図１と同じ実施例であるが異なる使用態様を示した斜視図である。ＩＨクッキングヒーターＡの下部にあるグリルＡ２を使用している時は吸排気口Ａ１から出る排気が上昇してレンジフードに吸い込まれるのを妨げないようにするために、また調理器具Ｃを用いて揚げ物や炒め料理等をしている時は油が飛散して周囲の壁を汚すのを防止するために、調理小物置き台兼用防汚パネル１をつい立のように起こして防汚パネルとして使用している。この時、調理小物置き台兼用防汚パネル１は平面視が手前に開口した横長い略コ字の状態であり、図１における左右脚部１１、１１の高さが奥行き寸法となっている。
【００１７】
この実施例の調理小物置き台兼用防汚パネル１は、図１の状態における間口を８００ミリメートル、奥行きを２００ミリメートル、高さを７０ミリメートルに設計しているので、図２の状態では間口が８００ミリメートル、奥行きが７０ミリメートル、高さが２００ミリメートルとなり、手や物が軽く接触したぐらいでは転倒しない程度に安定した起立状態を維持することができる。
【実施例２】
【００１８】
次に図３は、他の実施例を示した斜視図であり、調理小物置き台兼用防汚パネル２は、左右脚部２１、２１の立上り部２１ａの上端に、上方かつ外方に突出した把手２３を形成している。これにより調理小物置き台兼用防汚パネル２は、容易に持ち運びすることができる。
【００１９】
図４は、図３における他の使用態様を示した斜視図である。図２の使用態様と同様にグリル使用時の吸排気口Ａ１から出る排気の上昇を妨げないようにするために、また調理時の油飛散を防止するために、調理小物置き台兼用防汚パネル２をつい立のように起こして防汚パネルとして使用している。
【００２０】
このような起立時における調理小物置き台兼用防汚パネル２は、図３における左右脚部２１、２１の高さに加えて把手２３の高さも奥行き寸法となるために背面方向へ転倒する危険性が減少し、また左右の把手２３、２３は、立上り部２１ａより外側へ広がっているためさらに底面積が広くなり安定した状態で起立する。
【００２１】
この実施例の調理小物置き台兼用防汚パネル２は、図３の状態における間口を８００ミリメートル、奥行きを２００ミリメートル、高さを９５ミリメートルに設計しているので、図４の状態では間口が８００ミリメートル、奥行きが９５ミリメートル、高さが２００ミリメートルとなり、実施例１よりさらに安定した起立状態を維持することができる。
【実施例３】
【００２２】
次に図５と図６は、防汚パネルとしてさらに他の実施例を示した斜視図とその連結構造を示した水平断面図である。これは、背面の壁への飛散を防止するだけでなく、側面への飛散も防止するよう追加部材の側面パネル３を連結したものである。
【００２３】
調理小物置き台兼用防汚パネル２の左の脚部２１の手前端部に嵌め込まれた溝塞ぎ２１ｄを取り外して替わりにパッキンＰとパネル材３２の端部を順次嵌め込んで、側面パネル３を連結している。脚部２１の接続部２１ｂとパネル材２２との接続構造も前記の側面パネル３の連結構造と共通である。側面パネル３の手前端部には端部材３１が取付けられている。端部材３１は脚部１１や２１とその断面形状が異なるのみで部材構成は同一である。右の脚部２１にも同様に側面パネル３を連結することが出来る。
【産業上の利用可能性】
【００２４】
本考案は、オフィスの卓上パーティション兼用のパソコンのキーボードカバーと言うような用途にも適用できる。仕事をしている最中はデスクの上に立てて置いて向かいのデスクとのパーティションとして使用し、仕事が終ったらパソコンのキーボードに被せて置いてキーボードをホコリやチリから保護するというような利用法もできる。
【符号の説明】
【００２５】
１、２・・・・・・・調理小物置き台兼用防汚パネル
１１、２１・・・・・脚部
１１ａ、２１ａ・・・立上り部
１１ｂ、２１ｂ・・・接続部
１１ｃ、２１ｃ・・・樹脂カバー
２１ｄ・・・・・・・溝塞ぎ
１２、２２、３２・・パネル材
２３・・・・・・・・把手
３・・・・・・・・・側面パネル
３１・・・・・・・・端部材
Ａ・・・・・・・・・ＩＨクッキングヒーター
Ａ１・・・・・・・・吸排気口
Ａ２・・・・・・・・グリル
Ｂ・・・・・・・・・調理小物
Ｃ・・・・・・・・・調理器具
Ｐ・・・・・・・・・パッキン
【図１】
0003153320.tif 000003
【図２】
0003153320.tif 000004
【図３】
0003153320.tif 000005
【図４】
0003153320.tif 000006
【図５】
0003153320.tif 000007
【図６】
0003153320.tif 000008
【手続補正書】
【提出日】平成21年6月25日(2009.6.25)
【手続補正１】
【補正対象書類名】実用新案登録請求の範囲
【補正対象項目名】請求項３
【補正方法】変更
【補正の内容】
【請求項３】
平面視が手前に開口した横長い略コ字状になるように起こした状態において、左右端部のどちらか一方あるいは両方の端部に別部材を嵌め込んで連結するための溝を形成したことを特長とする請求項１または２記載の調理小物置き台兼用防汚パネル。
【手続補正２】
【補正対象書類名】明細書
【補正対象項目名】０００９
【補正方法】変更
【補正の内容】
【０００９】
また請求項３に記載の調理小物置き台兼用防汚パネルは、つい立のように起こした状態の左右端部のどちらか一方あるいは両方の端部に別部材を嵌め込んで連結するための溝を形成したので、防汚パネルとして背面壁だけでなく、側面壁も防汚することができる。